(57)【要約】      （修正有）【課題】弾性弁体がハウジングから脱離することを抑制可能な医療用コネクタ及び輸液セットを提供する。【解決手段】本発明の医療用コネクタ１は、オスコネクタを挿入可能な挿入開口を区画するハウジングと、前記挿入開口を閉鎖するように配置され、天面２１及び当該天面の反対側の底面２２を有する弾性弁体２０と、を備え、前記ハウジングが、前記弾性弁体２０の前記天面２１及び前記底面２２に接触して、前記弾性弁体２０を挟持する挟持部７０を有し、前記弾性弁体２０が、前記挟持部７０により挟持される被挟持部３０と、当該被挟持部３０よりも径方向の外側に位置する周縁部４０と、当該被挟持部３０よりも径方向の内側に位置し、スリット２３が形成された中央部５０と、を有し、前記周縁部４０が、前記中央部５０よりも硬度が高い芯部材４１を含む、ことを特徴とする。【選択図】図３
2018130495.tif 000002
【特許請求の範囲】
【請求項１】
オスコネクタを挿入可能な挿入開口を区画するハウジングと、
前記挿入開口を閉鎖するように配置され、天面及び当該天面の反対側の底面を有する弾性弁体と、を備え、
前記ハウジングは、前記弾性弁体の前記天面及び前記底面に接触して、前記弾性弁体を挟持する挟持部を有し、
前記弾性弁体は、前記挟持部により挟持される被挟持部と、当該被挟持部よりも径方向の外側に位置する周縁部と、当該被挟持部よりも径方向の内側に位置し、スリットが形成された中央部と、を有し、
前記周縁部は、前記中央部よりも硬度が高い芯部材を含む、医療用コネクタ。
【請求項２】
前記弾性弁体の厚み方向に沿う前記芯部材の長さは、前記挟持部の最短間隔以上である、請求項１に記載の医療用コネクタ。
【請求項３】
前記弾性弁体の径方向に沿う前記芯部材の長さは、前記挟持部の最短間隔以上である、請求項１又は２に記載の医療用コネクタ。
【請求項４】
前記周縁部は、前記芯部材を覆う被覆部を有する、請求項１から３のいずれか一項に記載の医療用コネクタ。
【請求項５】
前記周縁部は、前記芯部材により前記弾性弁体の径方向の外側が覆われ、前記被挟持部と一体に形成された内周縁部を有する、請求項１から３のいずれか一項に記載の医療用コネクタ。
【請求項６】
前記内周縁部は、前記芯部材により周囲を覆われている、請求項５に記載の医療用コネクタ。
【請求項７】
前記芯部材は、前記弾性弁体の周方向に沿って延在する、請求項１から６のいずれか一項に記載の医療用コネクタ。
【請求項８】
前記芯部材は、前記弾性弁体の周方向の全周に亘って延在する、請求項７に記載の医療用コネクタ。
【請求項９】
前記周縁部は、前記芯部材を複数含み、
オスコネクタが前記挿入開口に挿入された状態で、前記弾性弁体の厚み方向に沿う前記複数の芯部材の上端から下端までの距離は、前記挟持部の最短間隔以上である、請求項１に記載の医療用コネクタ。
【請求項１０】
前記周縁部は、オスコネクタが前記挿入開口に挿入された状態で、挿入されない状態よりも硬度が高くなる硬化部を有する、請求項１から９のいずれか一項に記載の医療用コネクタ。
【請求項１１】
請求項１から１０のいずれか一項に記載の医療用コネクタを備える輸液セット。
【発明の詳細な説明】
【技術分野】
【０００１】
本発明は、医療用コネクタ及び輸液セットに関する。
【背景技術】
【０００２】
患者に輸液を行う場合は、医療用チューブを用いて薬液等の液体を輸送する。そして、チューブ内の液体に他の薬液等の液体を合流させる場合には、シリンジやルアーテーパ部材等のオスコネクタと医療用チューブとを液密に接続可能な医療用コネクタが用いられる。
【０００３】
このようなオスコネクタを接続可能な医療用コネクタは、例えば特許文献１に開示されている。この特許文献１に開示された医療用コネクタは、開口を区画するハウジングと、スリットが形成されて開口を閉鎖するように配置された弾性弁体とを備え、オスコネクタが挿入されると、弾性弁体が弾性変形してスリットを通じてオスコネクタを接続する。また、弾性弁体は、ハウジングに挟持されて固定されている。
【先行技術文献】
【特許文献】
【０００４】
【特許文献１】国際公開第２０１４／０４６２７１号
【発明の概要】
【発明が解決しようとする課題】
【０００５】
ところで、特許文献１に開示された医療用コネクタでは、オスコネクタが斜めに挿入されることで、弾性弁体の一部に局所的な外力が作用し、弾性弁体がハウジングから脱離しやすくなり得る。また、特許文献１に開示された医療用コネクタでは、オスコネクタが繰り返し着脱されることで、弾性弁体が摩耗や劣化することにより、弾性弁体がハウジングから脱離しやすくなり得る。そこで、特許文献１に開示された医療用コネクタは、スリットを放射状に延びる３本以上の切込みで構成することで、オスコネクタとスリット内面との間で作用する摩擦抵抗力を低減し、オスコネクタの接続時に弾性弁体がハウジングから脱離することを抑制している。しかしながら、弾性弁体の脱離の抑制には、依然として改善の余地があった。
【０００６】
本発明の目的は、上記問題に鑑み、弾性弁体がハウジングから脱離することを抑制可能な医療用コネクタ及び輸液セットを提供することである。
【課題を解決するための手段】
【０００７】
上記目的を達成するために、本発明の医療用コネクタは、オスコネクタを挿入可能な挿入開口を区画するハウジングと、前記挿入開口を閉鎖するように配置され、天面及び当該天面の反対側の底面を有する弾性弁体と、を備え、前記ハウジングが、前記弾性弁体の前記天面及び前記底面に接触して、前記弾性弁体を挟持する挟持部を有し、前記弾性弁体が、前記挟持部により挟持される被挟持部と、当該被挟持部よりも径方向の外側に位置する周縁部と、当該被挟持部よりも径方向の内側に位置し、スリットが形成された中央部と、を有し、前記周縁部が、前記中央部よりも硬度が高い芯部材を含む、ことを特徴とする。
【０００８】
ここで、本発明の医療用コネクタは、前記弾性弁体の厚み方向に沿う前記芯部材の長さが、前記挟持部の最短間隔以上であることが好ましい。
【０００９】
また、本発明の医療用コネクタは、前記弾性弁体の径方向に沿う前記芯部材の長さが、前記挟持部の最短間隔以上であることが好ましい。
【００１０】
また、本発明の医療用コネクタは、前記周縁部が前記芯部材を覆う被覆部を有することが好ましい。
【００１１】
また、本発明の医療用コネクタは、前記周縁部が、前記芯部材により前記弾性弁体の径方向の外側が覆われ、前記被挟持部と一体に形成された内周縁部を有することが好ましい。
【００１２】
また、本発明の医療用コネクタは、前記内周縁部が、前記芯部材により周囲を覆われていることが好ましい。
【００１３】
また、本発明の医療用コネクタは、前記芯部材が、前記弾性弁体の周方向に沿って延在することが好ましい。
【００１４】
また、本発明の医療用コネクタは、前記芯部材が、前記弾性弁体の周方向の全周に亘って延在することが好ましい。
【００１５】
また、本発明の医療用コネクタは、前記周縁部が、前記芯部材を複数含み、オスコネクタが前記挿入開口に挿入された状態で、前記弾性弁体の厚み方向に沿う前記複数の芯部材の上端から下端までの距離が、前記挟持部の最短間隔以上であることが好ましい。
【００１６】
また、本発明の医療用コネクタは、前記周縁部が、オスコネクタが前記挿入開口に挿入された状態で、挿入されない状態よりも硬度が高くなる硬化部を有することが好ましい。
【００１７】
また、上記目的を達成するために、本発明の輸液セットは、上記医療用コネクタを備えることを特徴とする。
【発明の効果】
【００１８】
本発明の医療用コネクタ及び輸液セットによると、弾性弁体がハウジングから脱離することを抑制することができる。
【図面の簡単な説明】
【００１９】
【図１】本発明の第１実施形態としての医療用コネクタを示す斜視図である。
【図２】図１の医療用コネクタの断面図である。
【図３】図２における断面の一部を拡大した拡大断面図である。
【図４】図３のＩ−Ｉ線に沿う断面図である。
【図５】図１の医療用コネクタにオスコネクタが挿入されている状態を示す断面図である。
【図６】図１の医療用コネクタの変形例を示す断面図である。
【図７】図６の医療用コネクタにオスコネクタが挿入されている状態を示す断面図である。
【図８】本発明の第２実施形態としての医療用コネクタを示す断面図である。
【図９】図８のＩＩ−ＩＩ線に沿う断面図である。
【図１０】本発明の第３実施形態としての医療用コネクタを示す断面図である。
【図１１】図１０のＩＩＩ−ＩＩＩ線に沿う断面図である。
【図１２】本発明の第４実施形態としての輸液セットを示す図である。
【発明を実施するための形態】
【００２０】
以下、本発明の各実施形態について、図面を参照して説明する。各図において共通の部材には、同一の符号を付している。
【００２１】
（第１実施形態）
図１は、本発明の第１実施形態としての医療用コネクタ１を示す斜視図である。また、図２は、図１の医療用コネクタ１の断面図である。図１及び図２に示すように、医療用コネクタ１は、ハウジング１０と、弾性弁体２０と、を備える。
【００２２】
ハウジング１０は、キャップ１１と、キャップ１１を支持するホルダ６０とを備える。キャップ１１は、オスコネクタ１００（図５参照）を外方から挿入可能な挿入開口１８を区画する。本実施形態では、ハウジング１０が中空部１９を区画しており、この中空部１９には、キャップ１１により区画されたが挿入開口１８と、後述する液体流路６４と、が含まれる。
【００２３】
図２に示すように、キャップ１１は、天面キャップ１２と底面キャップ１３とを有している。キャップ１１は、弾性弁体２０を天面キャップ１２及び底面キャップ１３により圧縮、挟持することで、弾性弁体２０の挿入開口１８内での位置を固定している。なお、上述した挿入開口１８は、本実施形態では天面キャップ１２と底面キャップ１３とにより区画される。
【００２４】
ホルダ６０は、天面キャップ１２及び底面キャップ１３を支持する部材である。なお、本実施形態では天面キャップ１２及び底面キャップ１３の両方がホルダ６０に接触して支持される構成であるが、底面キャップ１３を天面キャップ１２に保持させて、天面キャップ１２のみをホルダ６０に接触させてホルダ６０に支持させる構成を採用してもよい。また逆に、天面キャップ１２を底面キャップ１３に保持させて、底面キャップ１３のみをホルダ６０に接触させてホルダ６０に支持させる構成であってもよい。
【００２５】
ホルダ６０は、中空部を内部に有する略円筒状の筐体からなるホルダ本体６１と、ホルダ本体６１の外周面から突出した円筒状の上流ポート部６２及び下流ポート部６３とを備える。ホルダ本体６１内部の中空は、上流ポート部６２から下流ポート部６３に達する液体流路６４の一部を担っている。またホルダ６０の外壁上に天面キャップ１２及び底面キャップ１３が支持されている。
【００２６】
ハウジング１０を構成するホルダ６０、並びに、キャップ１１としての天面キャップ１２及び底面キャップ１３の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００２７】
弾性弁体２０には、スリット２３が形成されている。弾性弁体２０は、オスコネクタ１００（図５参照）が医療用コネクタ１に着脱される際に弾性変形し、スリット２３を通じて開閉する。弾性弁体２０は、キャップ１１としての天面キャップ１２及び底面キャップ１３により区画された挿入開口１８を閉鎖するように配置されている。具体的に、弾性弁体２０は、天面キャップ１２と底面キャップ１３とで構成される挟持部７０（図３参照）により挟持されて、医療用コネクタ１内での位置が固定される。また、弾性弁体２０は、芯部材４１を含む。
【００２８】
弾性弁体２０は、金型成形され、弾性変形可能に形成される。この弾性弁体２０の芯部材４１以外の材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合したものであってもよい。
【００２９】
以下、本実施形態における各部材及び各部材により構成される特徴部の詳細について説明する。
【００３０】
図２に示すように、天面キャップ１２は、略円筒状の中空筒部７３と、中空筒部７３の下端に設けられたフランジ部７４と、中空筒部７３の上端で弾性弁体２０の径方向Ａの内側に延在する上端部７５と、を備える。上端部７５は、オスコネクタ１００が外方より挿入される挿入開口１８の一端を区画する略円形の縁７６を含む。中空筒部７３の外周面には、ＩＳＯ５９４で規定されたロックコネクタと螺合することができるようにねじ山７７が形成されている。フランジ部７４は、中空筒部７３と一体で型成形された部位であり、フランジ部７４がホルダ６０と係合することにより天面キャップ１２がホルダ６０に保持される。
【００３１】
また、図２に示すように、底面キャップ１３は、略円筒状の中空筒部７８と、中空筒部７８の下端に設けられたフランジ部７９と、を備える。底面キャップ１３は、天面キャップ１２の中空筒部７３の内面及び／又はフランジ部７４の下面に超音波接着されることにより天面キャップ１２により保持されている。また、底面キャップ１３は、フランジ部７９がホルダ６０により支持されて、位置が固定されている。
【００３２】
図３は、図２に示した医療用コネクタ１の断面のうち、天面キャップ１２と底面キャップ１３とによって挟持された弾性弁体２０を拡大して示す拡大断面図である。また、図４は、図３のＩ−Ｉ線に沿う断面図である。
【００３３】
図３に示すように、弾性弁体２０は、天面２１及び天面２１の反対側の底面２２を有する。天面キャップ１２と底面キャップ１３とで構成される挟持部７０は、弾性弁体２０の天面２１及び底面２２に接触して、弾性弁体２０を挟持する。具体的に、天面キャップ１２は、中空筒部７３よりも径方向Ａの内側で、上端部７５からオスコネクタ挿入方向Ｃに突出した係止突起７１を備える。また、底面キャップ１３は、中空筒部７８から径方向Ａの内側及びオスコネクタ挿入方向の逆方向Ｄに突出した係止突起７２を備える。天面キャップ１２の係止突起７１と底面キャップ１３の係止突起７２とは、協働して弾性弁体２０を挟持する挟持部７０を構成する。
【００３４】
図３及び図４に示すように、弾性弁体２０は、挟持部７０により挟持される被挟持部３０と、被挟持部３０よりも径方向Ａの外側に位置する周縁部４０と、被挟持部３０よりも径方向Ａの内側に位置し、スリット２３が形成された中央部５０と、を備える。
【００３５】
図４に示すように、被挟持部３０は、周方向Ｅに沿って全周に亘って延在する。換言すると、被挟持部３０は、挟持部７０により、周方向Ｅに沿って全周に亘って挟持されている。
【００３６】
図３に示すように、周縁部４０の厚み方向Ｂに沿う長さは、被挟持部３０の厚み方向Ｂに沿う長さよりも長い。また、図４に示すように、周縁部４０は、周方向Ｅに沿って全周に亘って延在する。周縁部４０は、中央部５０よりも硬度が高い芯部材４１を含む。図４に示すように、芯部材４１は、弾性弁体２０の周方向Ｅに沿って延在する。具体的に、芯部材４１は、弾性弁体２０の周方向Ｅの全周に亘って延在する。なお、芯部材４１は、中央部５０よりも硬度を有する材料であればよく、例えば硬度（ＩＳＯ７６１９（ＪＩＳ  Ｋ６２５３）に基づいて測定されたもの）の高いゴム等の柔軟物、若しくは金属、樹脂、セラミック、ガラス、鉱物、植物材料等の剛性体、半剛性体材料が挙げられる。周縁部４０は、芯部材４１を覆う被覆部４３を有する。換言すると、芯部材４１は、周縁部４０から外部に露出することなく、被覆部４３に覆われている。なお、本実施形態の被覆部４３は、中央部５０と同一材料で一体成形されたものである。また、弾性弁体２０の厚み方向Ｂに沿う芯部材４１の長さ（芯部材４１の高さ）Ｈは、挟持部７０の同方向に沿う最短間隔Ｇ以上である。図３に示す例では、芯部材４１の高さＨは、挟持部７０の最短間隔Ｇよりも長い。
【００３７】
中央部５０の中央には、直線状のスリット２３が形成されている。このスリット２３は、金型成形されるものであり、成形時には底面２２まで貫通しておらず、金型成形後の例えば最初のオスコネクタ１００の挿入時において、底面２２まで貫通する構成としてよい。なお、スリット２３を貫通させる工程を金型成形が完了した後に製造工程の一部として実行してもよい。
【００３８】
図５は、医療用コネクタ１にオスコネクタ１００が挿入されている状態を示す断面図である。オスコネクタ１００が医療用コネクタ１に挿入されると、オスコネクタ１００の先端部１０１が弾性弁体２０をオスコネクタ挿入方向Ｃに押し込むように弾性変形させる。そして、オスコネクタ１００は貫通したスリット２３を通じて、中空部１９内に到達する。
【００３９】
弾性弁体２０は、オスコネクタ１００の挿入により弾性変形し、底面キャップ１３の内壁とオスコネクタ１００の外壁との間に入り込み、オスコネクタ１００の外面に密着した状態となる。これにより、医療用コネクタ１から外部へ液体が漏れることが抑制される。
【００４０】
このように、本実施形態の医療用コネクタ１にオスコネクタ１００が挿入されている状態では、弾性弁体２０のうち特に中央部５０がオスコネクタ１００の先端部１０１によりオスコネクタ挿入方向Ｃに押し込まれるため、周縁部４０にも径方向Ａの内側に引き込む力が作用する。ここで、周縁部４０は、芯部材４１を含むため、仮に芯部材４１を含まない場合よりも、全体として弾性変形し難い。そのため、周縁部４０が挟持部７０よりも径方向Ａの内側に移動することが抑制され、弾性弁体２０がハウジング１０から脱離することが抑制される。
【００４１】
また、本実施形態の医療用コネクタ１では、芯部材４１の高さＨが挟持部７０の最短間隔Ｇ以上であるため、周縁部４０に径方向Ａの内側に引き込む力が作用しても、芯部材４１により、周縁部４０が挟持部７０よりも径方向Ａの内側に移動することが抑制される。よって、弾性弁体２０がハウジング１０から脱離することが抑制される。
【００４２】
また、本実施形態の医療用コネクタ１では、芯部材４１の高さＨが挟持部７０の最短間隔Ｇ以上であることに加えて、又は代えて、弾性弁体２０の径方向Ａに沿う芯部材４１の長さ（芯部材４１の幅）Ｗが、挟持部７０の最短間隔Ｇ以上であってもよい。芯部材４１の幅Ｗが挟持部７０の最短間隔Ｇ以上である場合、周縁部４０に径方向Ａの内側に引き込む力が作用する際、芯部材４１が回転した場合であっても、周縁部４０が挟持部７０よりも径方向Ａの内側に移動することが抑制される。よって、弾性弁体２０がハウジング１０から脱離することが抑制される。
【００４３】
ところで、図５に示すように、周縁部４０のうち芯部材４１以外の箇所（本実施形態では被覆部４３）は、オスコネクタ１００が挿入開口１８に挿入された状態では、挿入されない状態よりも圧縮変形するため、硬度が高くなる。換言すると、周縁部４０は、オスコネクタ１００が挿入開口１８に挿入された状態で、挿入されない状態よりも硬度が高くなる硬化部４２を有する。周縁部４０は、硬化部４２によっても、挟持部７０よりも径方向Ａの内側に移動することが抑制され、弾性弁体２０がハウジング１０から脱離することが抑制される。なお、硬化部４２は、仮に周縁部４０が芯部材４１を含まない場合よりも、本実施形態のように芯部材４１を含む方が、弾性変形可能な体積が小さくなるため、硬度が高くなりやすい。よって、周縁部４０が芯部材４１を含むことで、硬化部４２により弾性弁体２０がハウジング１０から脱離することを抑制する効果が向上する。
【００４４】
図６は、医療用コネクタ１の変形例である医療用コネクタ１’を示す断面図である。また、図７は、医療用コネクタ１’にオスコネクタ１００が挿入されている状態を示す断面図である。
【００４５】
図６に示すように、医療用コネクタ１’が備える弾性弁体２０の周縁部４０は、複数の芯部材４１ａを含む。芯部材４１ａは、線状の部材であり、芯部材４１と同様に、中央部５０よりも硬度が高い。また、芯部材４１ａは、芯部材４１と同様に、弾性弁体２０の周方向Ｅに沿って延在する。具体的に、芯部材４１ａは、弾性弁体２０の周方向Ｅの全周に亘って延在する。また、複数の芯部材４１ａは、弾性弁体２０の厚み方向Ｂに沿って配置されている。
【００４６】
図７に示すように、オスコネクタ１００が挿入開口１８に挿入された状態で、弾性弁体２０の厚み方向Ｂに沿う複数の芯部材４１ａの上端から下端までの距離Ｈ’は、挟持部７０の最短間隔Ｇ以上である。なお、医療用コネクタ１’の上記した以外の構成は、医療用コネクタ１と同様であるため、説明を省略する。
【００４７】
このように、医療用コネクタ１’にオスコネクタ１００が挿入されている状態では、弾性弁体２０の厚み方向Ｂに沿う複数の芯部材４１ａの上端から下端までの距離Ｈ’が、挟持部７０の最短間隔Ｇ以上である。よって、周縁部４０に径方向Ａの内側に引き込む力が作用しても、周縁部４０が挟持部７０よりも径方向Ａの内側に移動することが抑制され、弾性弁体２０がハウジング１０から脱離することが抑制される。
【００４８】
（第２実施形態）
図８は、本発明の第２実施形態としての医療用コネクタ２を示す断面図である。また、図９は、図８のＩＩ−ＩＩ線に沿う断面図である。
【００４９】
図８に示すように、周縁部４０は、芯部材４１ｂを含む。図８及び図９に示すように、芯部材４１ｂは、周縁部４０の径方向Ａの外側に露出し、周方向Ｅの全周に亘って延在している。換言すると、周縁部４０は、芯部材４１ｂにより弾性弁体２０の径方向Ａの外側が覆われ、被挟持部３０と一体に形成された内周縁部４４を有する。なお、芯部材４１ｂは、上述した芯部材４１と同様、中央部５０よりも硬度が高い。
【００５０】
芯部材４１ｂは、内周縁部４４と一体化されている。芯部材４１ｂと内周縁部４４との一体化には、例えば、二色成形、溶着、接着等が用いられる。芯部材４１ｂの材料としては、上述したホルダ６０、天面キャップ１２及び底面キャップ１３と同様の材料を用いることができる。なお、芯部材４１ｂは薬液等の液体が直接触れることがないため、芯部材４１ｂの材料の選定に当たっては、液体への耐久性を考慮する必要がない。そのため、芯部材４１ｂの材料としては、接着剤や弾性弁体２０の芯部材４１ｂ以外の材料との親和性の高い材料、例えばポリカーボネート等を用いることが好ましい。
【００５１】
弾性弁体２０の厚み方向Ｂに沿う芯部材４１ｂの長さ（芯部材４１ｂの高さ）Ｈは、挟持部７０の最短間隔Ｇ以上である。図８に示す例では、芯部材４１ｂの高さＨは、挟持部７０の最短間隔Ｇよりも長い。なお、医療用コネクタ２の上記した以外の構成は、第１実施形態の医療用コネクタ１と同様であるため、説明を省略する。
【００５２】
このように、本実施形態の医療用コネクタ２では、芯部材４１ｂの高さＨが挟持部７０の最短間隔Ｇ以上であるため、周縁部４０に径方向Ａの内側に引き込む力が作用しても、芯部材４１ｂにより、周縁部４０が挟持部７０よりも径方向Ａの内側に移動することが抑制される。よって、弾性弁体２０がハウジング１０から脱離することが抑制される。
【００５３】
（第３実施形態）
図１０は、本発明の第３実施形態としての医療用コネクタ３を示す断面図である。また、図１１は、図１０のＩＩＩ−ＩＩＩ線に沿う断面図である。
【００５４】
図１０に示すように、周縁部４０は、芯部材４１ｃを含む。図１０及び図１１に示すように、芯部材４１ｃは、周縁部４０の径方向Ａの外側に露出し、周方向Ｅの全周に亘って延在している。換言すると、周縁部４０は、芯部材４１ｃにより弾性弁体２０の径方向の外側が覆われ、被挟持部３０と一体に形成された内周縁部４４を有する。また、内周縁部４４は、芯部材４１ｃにより周囲を覆われている。なお、芯部材４１ｃについても、上述した第１実施形態及び第２実施形態と同様、中央部５０よりも硬度が高い。
【００５５】
芯部材４１ｃは、第２実施形態の芯部材４１ｂと同様に、内周縁部４４と一体化されている。芯部材４１ｃと内周縁部４４との一体化には、例えば、二色成形、溶着、接着等が用いられる。芯部材４１ｃの材料としては、上述した芯部材４１ｂと同様の材料を用いることができる。
【００５６】
弾性弁体２０の厚み方向Ｂに沿う芯部材４１ｃの長さ（芯部材４１ｃの高さ）Ｈは、挟持部７０の最短間隔Ｇ以上である。図１０に示す例では、芯部材４１ｃの高さＨは、挟持部７０の最短間隔Ｇよりも長い。なお、医療用コネクタ３の上記した以外の構成は、第１実施形態の医療用コネクタ１と同様であるため、説明を省略する。
【００５７】
このように、本実施形態の医療用コネクタ３では、第２実施形態の医療用コネクタ２と同様の効果が得られる。さらに、医療用コネクタ３では、芯部材４１ｃが内周縁部４４の周囲を覆っているため、芯部材４１ｃと内周縁部４４の一体性がより向上し、弾性弁体２０がハウジング１０から脱離することがより抑制される。
【００５８】
（第４実施形態）
最後に、図１２を用いて、本発明の第４実施形態である、医療用コネクタ１を備える輸液セット８０について説明する。ここでは上述したホルダ６０を用いた医療用コネクタ１を備える輸液セット８０について説明するが、ホルダの形状は輸液セットの使用用途等に応じて適宜変更可能である。また、医療用コネクタ１に代えて、医療用コネクタ１’、２又は３を用いることも可能である。
【００５９】
図１２に示すように、輸液セット８０は、びん針８１と、第１のチューブ８２と、点滴筒８３と、第２のチューブ８４と、クランプ８５と、医療用コネクタ１と、第３のチューブ８６と、ＩＳＯ５９４に規定されたロック式のオスコネクタ８７と、を備えている。びん針８１は、液体を収容する輸液バッグに挿入される。第１のチューブ８２は、びん針８１の基部に連結され、液体流路を形成する。点滴筒８３は、第１のチューブ８２の液体流路下流側に連結されている。第２のチューブ８４は、点滴筒８３に連結され、点滴筒８３から排出される液体の液体流路を形成している。クランプ８５は、第２のチューブ８４の外周面に取り付けられ、第２のチューブ８４を通過する液体の流量を調整可能である。クランプ８５の設置位置よりも液体流路下流側に位置する第２のチューブ４の端部は、医療用コネクタ１のホルダ６０の上流ポート部６２と連結されている。第３のチューブ８６は、医療用コネクタ１のホルダ６０の下流ポート部６３と連結し、液体流路を形成する。ロック式のオスコネクタ８７は、第３のチューブ８６の液体流路の下流側端部に連結されている。
【００６０】
この輸液セット８０では、第３のチューブ８６が、医療用コネクタ１とロック式のオスコネクタ８７とを連結する構成となっているが、医療用コネクタ１とロック式のオスコネクタ８７との間に、別の医療用コネクタ１を追加して、連結するチューブも追加するような構成としてもよい。またクランプ８５についても、個数を追加することや、別の位置に配置することが可能である。輸液セット８０の構成要素やその構成要素の位置は、ユーザーの使用用途に応じて当業者が適宜変更して組み合わせることが可能なものであって、上記輸液セット８０の構成に限定されるものではない。
【００６１】
また、第１〜第３のチューブ８２、８４、８６と、これらチューブに接続される各構成要素とは、ＩＳＯ５９４に規定されたロック式のコネクタにより連結されることが好ましい。
【００６２】
輸液セット８０は医療用コネクタ１を備えるため、びん針８１が接続される輸液バッグからの液体とは別の液体を、医療用コネクタ１を通じて輸液ラインに供給することが可能となり、体内に供給したい液体ごとにそれぞれ異なる輸液ラインを設ける必要がなくなる。
【００６３】
本発明は、上述した各実施形態で特定された構成に限定されるものではなく、特許請求の範囲に記載した発明の要旨を逸脱しない範囲内で種々の変形が可能である。
【００６４】
例えば、上述した各実施形態では、芯部材が周方向Ｅの全周に亘って延在するとして説明したが、周方向Ｅの一部に延在していない領域を有する円弧形状の芯部材であってもよい。ただし、芯部材が周方向Ｅの全周に亘って延在する方が、弾性弁体２０がハウジング１０から脱離することを抑制する効果が全周に亘って得られるため、好ましい。
【００６５】
また、芯部材は、周方向Ｅに沿って延在していなくてもよい。例えば、周縁部４０は、複数の粒子状の芯部材を含んでいてもよい。ただし、芯部材が周方向Ｅに沿って延在する方が、弾性弁体２０がハウジング１０から脱離することを抑制する効果が周方向Ｅに沿う広い範囲で得られるため、好ましい。
【符号の説明】
【００６６】
１、１’、２、３：医療用コネクタ
１０：ハウジング
１１：キャップ
１２：天面キャップ
１３：底面キャップ
１８：挿入開口
１９：中空部
２０：弾性弁体
２１：天面
２２：底面
２３：スリット
３０：被挟持部
４０：周縁部
４１、４１ａ、４１ｂ、４１ｃ：芯部材
４２：硬化部
４３：被覆部（第１形態）
４４：内周縁部（第２形態）
５０：中央部
６０：ホルダ
６１：ホルダ本体
６２：上流ポート部
６３：下流ポート部
６４：液体流路
７０：挟持部
７１：天面キャップの係止突起
７２：底面キャップの係止突起
７３：天面キャップの中空筒部
７４：天面キャップのフランジ部
７５：上端部
７６：縁
７７：ねじ山
７８：底面キャップの中空筒部
７９：底面キャップのフランジ部
８０：輸液セット
８１：びん針
８２：第１のチューブ
８３：点滴筒
８４：第２のチューブ
８５：クランプ
８６：第３のチューブ
８７：オスコネクタ
１００：オスコネクタ
１０１：先端部
Ａ：弾性弁体の径方向
Ｂ：弾性弁体の厚み方向
Ｃ：オスコネクタ挿入方向
Ｄ：オスコネクタ挿入方向の逆方向
Ｅ：弾性弁体の周方向
Ｇ：挟持部の最短間隔
Ｈ：弾性弁体の厚み方向に沿う芯部材の長さ
Ｈ’：弾性弁体の厚み方向に沿う複数の芯部材の上端から下端までの距離
Ｗ：弾性弁体の径方向に沿う芯部材の長さ
【図１】
2018130495.tif 000003
【図２】
2018130495.tif 000004
【図３】
2018130495.tif 000005
【図４】
2018130495.tif 000006
【図５】
2018130495.tif 000007
【図６】
2018130495.tif 000008
【図７】
2018130495.tif 000009
【図８】
2018130495.tif 000010
【図９】
2018130495.tif 000011
【図１０】
2018130495.tif 000012
【図１１】
2018130495.tif 000013
【図１２】
2018130495.tif 000014